(57)【要約】【課題】  スレート波板上に、太陽電池モジュールを設置するに際し、当該太陽電池モジュールによる負荷をスレート波板に均一に分散させることでスレート波板を保護する。【解決手段】  所要の幅と奥行きを有するプレート主体１ａの裏面を、適用しようとするスレート波板の、一つの谷部（１ｂ）と、この谷部（１ｂ）を介して隣接する各頂部（１ｃ）およびこの頂部（１ｃ）に連続する他の谷部（１ｄ）の表面とも密着する波状に形成し、プレート主体１ａに作用する負荷をスレート波板に均一に分散させる。【選択図】      図１
2014111876.tif 000002
【特許請求の範囲】
【請求項１】
谷部と山部が幅方向に交互に形成されたスレート波板上に、太陽電池モジュールを装着するための取付金具であって、
前記取付金具を構成するプレート主体は、その裏面が前記スレート波板の谷部と、この谷部を介して隣接する各山部、およびこの山部に連続する他の谷部の表面とも密着する波状に形成されていること
を特徴とする太陽電池モジュール用取付金具。
【請求項２】
前記プレート主体は、
前記各山部の中央部にビス孔が設けられていること
を特徴とする請求項１に記載の太陽電池モジュール用取付金具。
【請求項３】
前記プレート主体は、
前記山部のいずれか一方の端縁に、前記スレート波板上に顕出する取付ボルトと係合する切欠き部が形成されていること
を特徴とする請求項１に記載の太陽電池モジュール用取付金具。
【請求項４】
前記切欠き部は、
前記弧状もしくはＵ字状であること
を特徴とする請求項３に記載の太陽電池モジュール用取付金具。
【請求項５】
前記プレート主体は、
谷部を介して隣接する山部間にアングル材が架橋されていること
を特徴とする請求項１〜３のいずれかに記載の太陽電池モジュール用取付金具。
【請求項６】
前記アングル材は、
断面チャネル状を有し、開口部の縁部に受け部が形成されていること
を特徴とする請求項５に記載の太陽電池モジュール用取付金具。
【請求項７】
前記アングル材は、
縦ラックを装着するための取付用ボルトが、移動自在に装着されていること
を特徴とする請求項５又は６に記載の太陽電池モジュール用取付金具。
【請求項８】
前記アングル材は、
前記スレート波板の谷部と相対する部位に長手方向に沿ってガイド溝が形成され、当該ガイド溝内に沿って前記取付用ボルトが移動可能なように構成されていること
を特徴とする請求項５に記載の太陽電池モジュール用取付金具。
【請求項９】
前記アングル材は、
その上面に取付用ボルトを有するスライド板が、移動自在に装着されていること
を特徴とする請求項５又は６に記載の太陽電池モジュール用取付金具。
【請求項１０】
前記アングル材は、
その上部に太陽電池モジュールを支承するための縦ラックが、アングル材と直交状態で装着されるとともに、前記縦ラックの上部にパネル抑え金具が、縦ラックと直交状態でかつ長手方向に沿って移動自在に装着されていること
を特徴とする請求項５〜７のいずれかに記載の太陽電池モジュール用取付金具。
【発明の詳細な説明】
【技術分野】
【０００１】
この発明は、太陽電池モジュールを屋根に付設するために使用される取付金具に関するものである。
より具体的には、波状の屋根材で葺かれたスレート屋根に、太陽電池モジュールを据え付けるのに最適な取付金具に関するものである。
【背景技術】
【０００２】
波板形状を有するスレート屋根などに太陽電池モジュールを付設するに際し、例えば、特開２０１２−１４９４４１号公報（特許文献１）においては、スレート屋根用ソーラーパネル取付台が提案されている。
【０００３】
この特許文献１に記載の発明は、山と谷とで波形をしたスレート屋根の二つの山の間に下地受け金具を掛渡してボルトでスレート屋根に固定するとともに、前記下地受け金具上にＣ形鋼からなるソーラーパネル下地を縦方向に配置したのち、前記ソーラーパネル下地をスレート屋根の谷の部分で固定する。
ついで、前記ソーラーパネル下地に横桟を所定の間隔で載設し、ソーラーパネル下地と横桟とで枡目を形成し、この枡目にソーラーパネルが嵌め込めるようにしたことを特徴とするものである。
【０００４】
一方、特開２０１２−１１７３５１号公報（特許文献２）では、太陽電池モジュールを波板構造体の上に取り付ける取付金具として、図６に具体的なものが示されている。
【０００５】
この取付金具は、太陽電池モジュールの下端側と上端側にそれぞれ配置され、前記波板構造体と太陽電池モジュールとの間に十分な空間を形成する機能を有している。
【０００６】
具体的には、波板の上面に合わせて下面が形成されたベース部と、このベース部に対して垂直方向に延設された垂直部材と、この垂直部材に設けられブラケットを取り付ける取付部とを備えたもので、前記ベース部は、取付金具を波板上に留めるためのビスが必ず波板の波上部に合致することとなる、とされている。
【０００７】
前記取付金具において、下端側の取付金具の取付部には、ボルトによりブラケットが締結され、太陽電池モジュールの下端面を支持している。
したがって、前記ブラケットによって、波板構造体上のゴミや雨水を堰き止めることがなく、波板の重なり部分や釘穴から波板構造体下側へ雨水が浸入することがない、としている。
【０００８】
一方、前記ブラケットの上部には、太陽電池モジュール上の雨水を、軒先水切り部材上に案内する雨水案内板が取り付けられ、前記軒先水切り部材を、金属製の板材を折曲して形成し、波板の下流側の開口部を通気可能に覆うとともに、滴下した雨水を軒先側に案内する機能が付与されている。
【先行技術文献】
【特許文献】
【０００９】
【特許文献１】特開２０１２−１４９４４１号公報（請求項１，図１）
【特許文献２】特開２０１２−１１７３５１号公報（図６，段落００１５）
【発明の概要】
【発明が解決しようとする課題】
【００１０】
前記特許文献１に記載のスレート屋根用ソーラーパネル取付台は、二つの山に跨がって載せられる下地受け金具と、当該下地受け金具の上に縦方向に載設されるソーラーパネル下地と、このソーラーパネル下地の上に横方向に載設される横桟とからなるもので、前記下地受け金具は、ボルトを介して梁に直接固定されている。
【００１１】
前記下地受け金具は、スレート波板の隣接する二つの山間に架橋可能な長さを有し、両端は翼状に下がった形状をしたもので、ソーラーパネルの荷重は、前記横桟とソーラーパネル下地を介して直接スレートの山部に作用するため、その負荷は分散される。
【００１２】
しかしながら、前記下地受け金具に作用する負荷は、スレート波板の隣接する二つの山の頂部にのみ掛かり、負荷が作用する頂部そのものが損傷するおそれがあるので、弾性ワッシャを介在させて、スレート波板の損傷を防止している。
【００１３】
さらに、前記ソーラーパネル下地はＣ形鋼で構成され、前記下地受け金具に対して、その開口部を下にした状態で取付ける構成を採用しているが、前記下地受け金具とＣ形鋼の壁部分との間にスペーサを介在させる必要があるなど強度的に問題も問題がある。
【００１４】
さらにまた、前記下地受け金具を設置する場所は、スレート屋根にボルトが突出していない場所に限定されるという問題がある。
一方、既設のストレート屋根の多くは、築３０年を経過したものが多く存在し、その表面が劣化し、強度自体の低下が指摘されている。
【００１５】
前記特許文献２に記載の取付金具は、波板の頂面に合わせて下面が形成され、かつ前記頂面の３つを架橋させる長さを有するベース部と、このベース部に対して垂直方向に延設された垂直部材と、この垂直部材に設けられブラケットを取り付ける取付部とを備えたもので、前記ベース部の中央に位置する頂面からビスを野地板および垂木に打ち込み、波板構造体に固定するものである。
【００１６】
すなわち、前記取付金具は、波板の少なくとも３つの山部に架橋するための横幅と、各山部と対応する下面形状が求められるので、取付金具の製造工程が複雑化し、コスト面での改善に問題がある。
【００１７】
さらに、太陽電池モジュール（以下、単に「モジュール」という。）の上端部を支持するためのブラケットを、当該取付金具の表面部に装着する必要があるなど、構造が複雑なものであるため、実際の取付作業が複雑で、かつ効率的な取付作業ができないなど改良すべき点を有するものである。
【００１８】
さらにまた、既存のスレート波板は、アスベストを含むものが多く、既存のスレート波板を躯体構造体に固定するボルトがスレート波板上に突出する場合は、既存のボルトの座金を外した位置に取付金具を装着する必要がある。
【００１９】
特に、アスベストを含むスレート波板を葺き替える場合には、アスベストの発生で作業員や周辺環境に不測の影響を及ぼすことが想定される。
一方、そのまま使用する場合には、ボルトがスレート波板上に突出しているので、太陽電池モジュールを取付けるための取付金具の装着位置が制限されることになる。
【００２０】
この発明はかかる現状に鑑み、スレート波板上にモジュールを設置するに際し、当該モジュールによる負荷を均等にスレート波板に分散させることでスレート波板を保護することを主たる目的とするものである。
【００２１】
この発明の他の目的は、モジュールを設置しようとするスレート波板上に、当該スレート波板を躯体構造体に固定するための既存のボルトが突出している場合であっても、前記既存のボルトのワッシャを取り外すことなく、モジュールを取付けるための取付金具をスレート波板上に取付けることのできる、太陽電池モジュール用取付金具を提供することを目的とするものである。
【課題を解決するための手段】
【００２２】
前記目的を達成するため、この発明の請求項１に記載の発明は、
谷部と山部が幅方向に交互に形成されたスレート波板上に、太陽電池モジュールを装着するための取付金具であって、
前記取付金具を構成するプレート主体は、その裏面が前記スレート波板の谷部と、この谷部を介して隣接する各山部、およびこの山部に連続する他の谷部の表面とも密着する波状に形成されていること
を特徴とする太陽電池モジュール用取付金具である。
【００２３】
この発明の請求項２に記載の発明は、
請求項１に記載の太陽電池モジュール用取付金具において、
前記プレート主体は、
前記各山部の中央部にビス孔が設けられていること
を特徴とするものである。
【００２４】
この発明の請求項３に記載の発明は、
請求項１に記載の太陽電池モジュール用取付金具において、
前記プレート主体は、
前記山部のいずれか一方の端縁に、前記スレート波板上に顕出する取付ボルトと係合する切欠き部が形成されていること
を特徴とするものである。
【００２５】
この発明の請求項４に記載の発明は、
請求項３に記載の太陽電池モジュール用取付金具において、
前記切欠き部は、
前記弧状もしくはＵ字状であること
を特徴とする太陽電池モジュール用取付金具である。
【００２６】
この発明の請求項５に記載の発明は、
請求項１〜３のいずれかに記載の太陽電池モジュール用取付金具において、
前記プレート主体は、
谷部を介して隣接する山部間にアングル材が架橋されていること
を特徴とするものである。
【００２７】
この発明の請求項６に記載の発明は、
請求項５に記載の太陽電池モジュール用取付金具において、
前記アングル材は、
断面チャネル状を有し、開口部の縁部に受け部が形成されていること
を特徴とするものである。
【００２８】
この発明の請求項７に記載の発明は、
請求項５又は６に記載の太陽電池モジュール用取付金具において、
前記アングル材は、
縦ラックを装着するための取付用ボルトが、移動自在に装着されていること
を特徴とするものである。
【００２９】
この発明の請求項８に記載の発明は、
請求項５に記載の太陽電池モジュール用取付金具において、
前記アングル材は、
前記スレート波板の谷部と相対する部位に長手方向に沿ってガイド溝が形成され、当該ガイド溝内に沿って前記取付用ボルトが移動可能なように構成されていること
を特徴とするものである。
【００３０】
この発明の請求項９に記載の発明は、
請求項５に記載の太陽電池モジュール用取付金具において、
前記アングル材は、
その上面に取付用ボルトを有するスライド板が、移動自在に装着されていること
を特徴とするものである。
【００３１】
この発明の請求項１０に記載の発明は、
請求項５〜７のいずれかに記載の太陽電池モジュール用取付金具において、
前記アングル材は、
その上部に太陽電池モジュールを支承するための縦ラックが、アングル材と直交状態で装着されるとともに、前記縦ラックの上部にパネル抑え金具が、縦ラックと直交状態でかつ長手方向に沿って移動自在に装着されていること
を特徴とするものである。
【発明の効果】
【００３２】
この発明の太陽電池モジュール用取付金具は、その裏面が前記スレート波板の谷部と、この谷部を介して隣接する各山部およびこの山部に連続する他の谷部の表面とも密着する波状に形成されたプレート主体からなるので、このプレート主体の裏面をスレート波板の表面に当接させることによって、プレート主体に作用する負荷を均等にスレート波板に分散させることができる。
【００３３】
特に、太陽電池モジュール用取付金具を構成するプレートは、谷部を挟んで隣接する山部に連なる他の谷部とも密着する幅を有するものとしているので、スレート波板と密着する面積が拡大し、よりスレート波板に作用する負荷を分散させ、スレート波板を保護する補強カバーとすることができる。
【００３４】
前記プレート主体上に設けられるアングル材は、プレート主体に形成される山部間に架橋され、その側縁にモジュールを支承する受け部を設けることによって、モジュールによる負荷を、アングル材を介して均一にスレート波板に分散させることができる。
【００３５】
さらに、前記アングル材に設けるモジュールを支承するための縦ラックと係合する取付用ボルトを、スレート波板の幅方向に移動自在に設けることによって、モジュールの大きさに合わせて縦ラックを設置することができる。
その際、前記縦ラック上に装着するパネル抑え金具を、当該縦ラックに沿って移動自在とすることで、縦ラックの配置が固定された後でも太陽電池パネルの大きさに対応させることができる。
【００３６】
その際、この発明においては、前記プレート主体にアングル材を取付けているので、従来製品では必須とされていた横ラックを必要とせず、太陽電池モジュール用取付金具の構成をより簡単にすることができ、施工面での一層の効率化を図ることができる。
【図面の簡単な説明】
【００３７】
【図１】この発明にかかる太陽電池モジュール用取付金具の一例を示す側面図である。
【図２】図１に示す太陽電池モジュール用取付金具の平面図である。
【図３】この発明にかかる太陽電池モジュール用取付金具の他の例を示す斜視図である。
【図４】図３に示す太陽電池モジュール用取付金具の平面図である。
【図５】図３に示す太陽電池モジュール用取付金具の使用状態を示す説明図である。
【図６】図３に示す太陽電池モジュール用取付金具に縦ラックを取付けた状態を示す斜視図である。
【図７】図６の側面図である。
【図８】図３に示す太陽電池モジュール用取付金具をスレート波板に取付けた状態を示す斜視図である。
【図９】図３に示す太陽電池モジュール用取付金具に太陽電池モジュールを装着した状態を示す斜視図である。
【図１０】図３に示す太陽電池モジュール用取付金具のアングル材に縦ラックを装着するための取付用ボルトの他の例を示す説明図である。
【発明を実施するための形態】
【００３８】
以下、この発明にかかる太陽電池モジュール用取付金具（以下、単に「モジュール用取付金具」という。）の実施の一例を、添付の図面に基づいて具体的に説明する。
なお、この発明は、以下に説明する実施例にのみ限定されるものではなく、発明の要旨を変更しない範囲内において、種々変更することができるものである。
【００３９】
この発明のモジュール取付金具１が装着されるスレート波板ＳＴは、図５および図８に示されるように、谷部Ｖと山部Ｔとが交互に連続するものである。
かかるスレート波板ＳＴは、粘板岩を用いた天然スレートあるいは無石綿セメントなどからなる人工の化粧スレートの他、ガルバニウム鋼板やポリカーボネート樹脂でも構成されている。
なお、図５において、符号Ｒは、前記スレート波板ＳＴを固定するための垂木・母屋などの躯体構造体である。
【００４０】
この発明にかかるモジュール用取付金具１は、図１に示すように、屋根を構成するスレート波板ＳＴの表面部に密着させて取付けることのできるプレート主体１ａを主要な構成部材とするものである。
【００４１】
前記プレート主体１ａは、ステンレスなどの鋼材からなる桁方向に所要の幅を有するとともに、所要の奥行を有する矩形状のものである。
その裏面は、図５に示すように、適用しようとするスレート波板ＳＴの谷部Ｖ１  と、この谷部Ｖ１  を介して隣接する山部Ｔ１  ，Ｔ１  と、前記山部Ｔ１  ，Ｔ１  に連続する他の谷部Ｖ２  の表面の一部と密着するよう波状に形成されている。
【００４２】
すなわち、このプレート主体１ａは、前記スレート波板ＳＴの谷部Ｖおよび山部Ｔに対応させ、一つの谷部１ｂを中心に、その左右に連なる山部１ｃ，１ｃと、この山部１ｃ，１ｃに連なる他の谷部１ｄ，１ｄの一部、より好ましくは谷部の半分を覆うことができるように形成されたもので、全体は平面が矩形状を呈するものである。
【００４３】
このプレート主体１ａの各山部１ｃ，１ｃの中央部には、当該プレート主体１ａを躯体構造体Ｒ（図５参照）に取付けるための取付用ビスの挿通孔１ｅ，１ｅが設けられるとともに、長手方向における一方の縁部には、各山部１ｃの端部にそれぞれ取付け切欠き部１ｆが形成されている。
【００４４】
この切欠き部１ｆは、例えば、図１０に示すように、躯体構造体（図示せず）とスレート波板ＳＴとを固定する取付ボルトＢの外周部の一部もしくは全部と係合させることによって、既存の取付ボルトＢがスレート波板ＳＴ上に突出していても、この発明のモジュール用取付金具１を使用できるよう構成したものである。
【００４５】
かかるプレート主体１ａは、以下の実施例においては、その強度を保持するために短手側の幅は約１２０ｍｍを想定しているが、使用する材料によっては、その幅が４０〜７０ｍｍ、より好ましくは５０〜６０ｍｍあれば強度的に問題はない。
【００４６】
なお、前記プレート主体１ａは、山部１ｃの一方の端縁に切欠き部１ｆが形成されているが、あらかじめ幅の狭いものであれば、スレート屋根上に突出する既存のボルトＢを回避することが可能なため、前記切欠き部１ｆはなくてもよい。
【００４７】
図３に示すモジュール用取付金具１１は、図１０に示すように、スレート波板ＳＴと躯体構造体（図示せず）とを固定するための取付ボルトＢの先端部が、前記スレート波板ＳＴ上に座金Ｗを介して突出しているタイプの屋根構造に使用ものである。
【００４８】
具体的には、図１０に示すように、スレート波板ＳＴ上に顕出した座金Ｗや取付ボルトＢに影響されることなく、スレート波板ＳＴ上に取付けることができるよう構成されている。
【００４９】
すなわち、前記モジュール用取付金具１１を構成するプレート主体１１ａは、図３に示すように、一つの谷部１１ｂを中心に、その左右に連なる山部１１ｃ，１１ｃと、前記各山部１１ｃに連なる他の谷部１１ｄ，１１ｄの一部、より好ましくは谷部の半分を覆うことができるように形成されたものである。
【００５０】
かかるプレート主体１１ａは、スレート波板ＳＴの２つの山部Ｔ１  と対応する各山部１１ｃには、一端から他端に向かって、所要の幅と深さを有するＵ字状の切欠き部１１ｅがそれぞれ形成され、この切欠き部１１ｅによってスレート波板ＳＴ上に顕出した取付ボルトＢと係合する座金Ｗを回避することができるよう構成されている。
【００５１】
このプレート主体１１ａには、図３に示すように、アングル材１２が取付けられる。
前記アングル材１２は、前記モジュール用取付金具１に太陽電池モジュールＳＣＭを取付けるための縦ラック１４を装着するためのものである。
【００５２】
このアングル材１２は、前記プレート主体１１ａの二つの山部１１ｃ，１１ｃに架橋させるのに必要な幅を有するもので、断面チャネル状を有し、開口部の縁部に前記縦ラック１４を支承するための受け部１２ａが形成されている。
さらに、その底面の中央部には、太陽電池モジュールＳＣＭを装着する縦ラック１４を取付けるための取付用ボルト１３が、前記受け部１２ａから突出する状態で設けられている。
なお、前記アングル材１２は、図３においては、その先端縁がそれぞれ内側に折り曲げられて受け部１２ａを形成しているが、単にチャネル状であってもよいものである。
【００５３】
前記取付用ボルト１３は、前記アングル材１２の底面の中央部に長手方向に沿って形成されたガイド溝１２ｂに沿って桁方向に移動自在とすることで、前記縦ラック１４の取付位置をずらせて装着することを可能としているが、図１０に示すような構成であってもよい。
【００５４】
すなわち、図１０に示すように、各先端縁が内側に折り曲げられ、逆Ｌ字状に形成された側壁２２ａを有するアングル材２２の上部に、スライダＳを長手方向に沿って移動自在に装着し、このスライダＳの上面に取付用ボルト１３を取付けたものであってもよい。
【００５５】
前記取付用ボルト１３の装着位置があらかじめ決められている場合には、図示しないが、前記アングル材１２を中空パイプで構成し、その上面に溶着手段によって取付けたものであってもよい。
【００５６】
なお、前記プレート主体１ａおよび１１ａは、適用しようとするスレート波板ＳＴの表面が劣化している場合もあるので、スレート波板ＳＴと当接する面、すなわち、その裏面にクッションとなるようなシート状の緩衝材又は厚手の防水テープを付設するか、もしくはシーリング剤やエポキシ樹脂を塗布することが好ましい。
【００５７】
さらに、図１および図２に示すモジュール取付金具１も、図示しないが、図３以下に示すモジュール取付金具１１と同様に、実際の使用に際しては、その表面にアングル材が付設される。
【００５８】
以下、図３に示したモジュール用取付金具１１を使用した太陽電池モジュールＳＣＭの取付例を説明する。
【００５９】
まず、図５に示すように、モジュール用取付金具１１を構成するプレート主体１１をスレート波板ＳＴ上に密着させ、取付用ビス６を利用して躯体構造体Ｒに固定する。
【００６０】
前記プレート主体１１のスレート波板ＳＴへの取付けに際しては、アングル材１２の底面に形成されたねじ挿通孔（図示せず）を利用し、アングル材１２とプレート主体１１とを同時にスレート波板ＳＴに取付けることが好ましい。
【００６１】
前記アングル材１２には、あらかじめ取付用ボルト１３が長手方向に沿ってスライド自在に設けられているので、太陽電池モジュールＳＣＭを取付けるための縦ラック１４の取付位置を一定の範囲内で変更させることが可能となっている。
【００６２】
前記縦ラック１４には、図５および図７に示すように、前記太陽電池モジュールＳＣＭを構成するフレームと係合するパネル抑え金具１５が、長手方向に沿って移動自在に付設されている。
したがって、前記の取付用ボルト１３の移動可能な構成と相俟って、縦ラック１４およびパネル抑え金具１５を、スレート波板ＳＴの桁方向に移動させて取付けることができる構成となっている。
【００６３】
この発明においては、モジュール用取付金具１１は、広い範囲でスレート波板ＳＴを保護することのできるプレート主体１１ａを主構成要素とし、このプレート主体１１ａにアングル材１２を付設するとともに、このアングル材１２に、縦ラック１４を取付けるための取付用ボルト１３を移動自在に設けている。
【００６４】
したがって、前記取付用ボルト１３の固定位置を変えることによって、太陽電池モジュールＳＣＭの取付位置を所定の範囲内で変更することができる。
さらに、前記縦ラック１４に付設するパネル抑え金具１５も移動自在とすることで、太陽電池モジュールＳＣＭの大きさに合わせて縦ラック１４を設置することができる。
【００６５】
さらに、主構成部材であるプレート主体１１ａは、スレート波板ＳＴの山部と密着する山部にＵ字状の切欠き部１１ｅ，１１ｅが形成されている。
したがって、スレート波板ＳＴ上に、フック部を断面Ｃ字状の鋼材からなる躯体構造体の縁部に引っ掛け、図１０に示すように、その軸部をスレート波板ＳＴ上に引き出し、スレート波板ＳＴ上で座金Ｗを介してナット止めされて、座金Ｗや取付ボルトＢが顕出していても、切欠き部１１ｅ内に前記座金Ｗや取付ボルトＢを位置させることができる。
【００６６】
その結果、座金Ｗや取付ボルトＢの位置に影響されることなく、スレート波板ＳＴ上にプレート主体１１ａを取付けることができるので、太陽電池モジュールＳＣＭを設置する位置の選択などに大きな自由度を持たせることができる。
【００６７】
かかる作用効果は、図１に示す太陽電池モジュール用取付金具１を構成するプレート主体１ａに、前記と同様のアングル部材を付設することによって達成することができる。
【００６８】
さらに、前記実施例の基本となる太陽電池モジュール用取付金具１又は１１を構成するプレート主体１ａ又は１１ａは、いずれもスレート波板ＳＴに装着することによってスレート波板ＳＴに作用する負荷の軽減と、当該スレート波板ＳＴを保護する補強カバーの役目を果たすものである。
【００６９】
かかる構成を有するモジュール用取付金具１１は、図８に示すように、スレート波板ＳＴの上面に上下方向に所要の間隔を存して配置し、両者を縦ラック１４で一体的に連結させる。
さらに、同様にモジュール用取付金具１１を桁方向に間隔を存して配置する。
このモジュール用取付金具１１，１１間の距離は、このモジュール用取付金具１１に取付けようとする太陽電池モジュールＳＣＭの大きさによって決定される。
【００７０】
図９は、スレート波板ＳＴが葺かれた屋根上に縦ラック１４を付設したモジュール用取付金具１１を、桁方向に所要間隔を存して配置し、その上面に太陽電池モジュールＳＣＭをそれぞれ配設して太陽光発電装置としたものである。
【００７１】
なお、この発明の実施例においては、太陽電池モジュールを装着するための縦ラック１４は、断面チャネル状で、その上部開口部の縁部を内側に折り曲げたタイプのもので説明したが、他の構成を有するものであってもよい。
【００７２】
例えば、図示しないが、断面チャネル状の鋼材を、その開口部を下方に向けた状態でアングル材上に配置して縦ラックとし、前記縦ラックの開口部に外側に向けて延出させた開口縁を、抑え金具を利用してアングル材に固定することも可能である。
【産業上の利用可能性】
【００７３】
この発明の太陽電池モジュール用取付金具は、屋根が波型の形状を有するもので構成されていれば、スレート波板に限定されることなく使用可能であるので、多くの屋根に太陽電池モジュールを簡単かつ容易に取付けることが可能で、得られる電力を自家消費電力として有効に利用することができる。
【符号の説明】
【００７４】
１，１１      太陽電池モジュール用取付金具
１ａ，１１ａ  プレート主体
１ｂ，１ｄ    プレート主体の谷部
１ｃ          プレート主体の山部
１ｆ          切欠き部
６            取付用ビス
１１ｂ        プレート主体の谷部
１１ｃ        プレート主体の山部
１１ｅ        切欠き部
１２          アングル材
１２ａ        受け面
１３          取付用ボルト
１４          縦ラック
１５          パネル抑え金具
Ｂ            躯体構造体とスレート波板を固定する取付ボルト
Ｗ            取付ボルト用の座金
ＳＴ          スレート波板
Ｖ            スレート波板の谷部
Ｔ            スレート波板の山部
Ｒ            躯体構造体
【図１】
2014111876.tif 000003
【図２】
2014111876.tif 000004
【図３】
2014111876.tif 000005
【図４】
2014111876.tif 000006
【図５】
2014111876.tif 000007
【図６】
2014111876.tif 000008
【図７】
2014111876.tif 000009
【図８】
2014111876.tif 000010
【図９】
2014111876.tif 000011
【図１０】
2014111876.tif 000012